(57)【要約】【課題】本発明は狭帯域バンドパスフィルター（ｎａｒｒｏｗ  ｂａｎｄ  ｐａｓｓ  ｆｉｌｔｅｒ）を用いて変調した放送信号の下側波帯及び他チャネルの周波数帯域において発生する高調波などの不要な信号を除去できる高周波モジュレータに関するものである。【解決手段】本発明は、ビデオ信号及びオーディオ信号を所定チャネルの周波数帯域に該当する高周波信号に変調する高周波モジュレータにおいて、上記所定チャネルの周波数帯域に適した所定の高周波を生成する発振器１４と、上記ビデオ信号及びオーディオ信号を上記発振器１４から生成された高周波に変調するミキサ１５、及び上記ミキサ１５から出力される高周波に変調された信号から上記所定チャネルの周波数帯域の信号のみ通過させる狭帯域バンドパスフィルター３０を含んだ高周波モジュレータを提供する。【選択図】図１
2005244917.tif 000002
【特許請求の範囲】
【請求項１】
ビデオ信号及びオーディオ信号を所定チャネルの周波数帯域に該当する高周波信号に変調する高周波モジュレータにおいて、
上記所定チャネルの周波数帯域に適した所定の高周波を生成する発振器と、
上記ビデオ信号及びオーディオ信号を上記発振器から生成された高周波に変調するミキサと、
上記ミキサから出力された高周波に変調された信号から上記所定チャネルの周波数帯域の信号のみ通過させる狭帯域バンドパスフィルターと、
を有することを特徴とする高周波モジュレータ。
【請求項２】
上記発振器は、  
所定のコントロール電圧に応じて所定周波数の発振を生成する発振器と、
上記発振器において生成される周波数を所定比率で分周する分周器と、
上記分周器において分周された信号と基準周波数の位相とを比較する位相検出器と、
上記位相検出器において比較された位相差に応じて調節された上記コントロール電圧を上記発振器に提供するチャージポンプと、
を有することを特徴とする請求項１に記載の高周波モジュレータ。
【請求項３】
上記狭帯域バンドパスフィルターは、上記コントロール電圧を逆バイアス電圧に用いる複数個の可変電圧キャパシタダイオード及び複数個のインダクタを含み、上記コントロール電圧に応じた発振器の発振周波数変動につれて通過帯域が変動されることを特徴とする請求項２に記載の高周波モジュレータ。
【請求項４】
上記狭帯域バンドパスフィルターは、通過帯域が固定された誘電体フィルターまたはＳＡＷフィルターであることを特徴とする請求項１に記載の高周波モジュレータ。
【請求項５】
ビデオ信号及びオーディオ信号を所定チャネルの周波数帯域に該当する高周波信号に変調する高周波モジュレータにおいて、
所定のコントロール電圧に応じて所定周波数の発振を生成する発振器と、上記発振器において生成される周波数を所定の比率で分周する分周器と、上記分周器において分周された信号と基準周波数の位相とを比較する位相検出器と、上記位相検出器において比較された位相差に応じて調節された上記コントロール電圧を上記発振器に提供するチャージポンプとを含む発振器と、
上記ビデオ信号及びオーディオ信号を上記発振器において生成された高周波に変調するミキサと、
上記コントロール電圧を逆バイアス電圧に用いる複数個の可変電圧キャパシタダイオード及び複数個のインダクタとを含み、
上記コントロール電圧に応じた発振器の発振周波数変動につれて通過帯域が変動される狭帯域バンドパスフィルターと、
を有することを特徴とする高周波モジュレータ。
【発明の詳細な説明】
【技術分野】
【０００１】
本発明はビデオ／オーディオ信号を所定チャネルの高周波放送信号に変調して伝送する高周波モジュレータに関するもので、より詳しくは、狭帯域バンドパスフィルター（ｎａｒｒｏｗ  ｂａｎｄ  ｐａｓｓ  ｆｉｌｔｅｒ）を用いて変調した放送信号の下側波帯及び他チャネルの周波数帯域において発生する高調波などの不要な信号を除去することができる高周波モジュレータに関するものである。
【背景技術】
【０００２】
一般に、高周波モジュレータはケーブルＴＶ受信機や、衛星放送受信機のようにＴＶを通して映像（ビデオ）及び音声（オーディオ）を出力するＴＶ連結装置に具備されるもので、入力されたビデオ信号及びオーディオ信号をＴＶ放送方式に応じて選択されたチャネルの高周波信号に変換出力する装置である。
【０００３】
図７は一般の高周波モジュレータの構成を概略的に示したブロック図として、高周波モジュレータはアンテナに受信された高周波放送信号を分配器（２３）で分配しチューナーに連結されたチューナー出力端（ＴＵＮＥＲ  ＯＵＴ）とＴＶに連結されたＴＶ出力端（ＴＶ  ＯＵＴ）側に出力する。この際、分配器（２３）の前後には信号を増幅するためアンプ（２１、２２）を具備することができる。
【０００４】
また、ビデオ信号入力端（ＶＩＤＥＯ  ＩＮ）に入力されたベースバンド（ｂａｓｅ  ｂａｎｄ）のビデオ信号をビデオクランプ（１１１）において所定範囲のレベル変動を調整した後、クリッパ回路（１１２）において雑音を除去しＡＭモジュレータ（１１３）において中間周波数帯域に変調し、オーディオ信号入力端（ＡＵＤＩＯ  ＩＮ）に入力されたオーディオ信号をフリーエンファシス（１２１）を通して圧縮し、オーディオアンプ（１２２）を通して増幅してからＦＭモジュレータ（１２３）において中間周波数帯域にＦＭ変調する。上記中間周波数帯域に変調されたビデオ／オーディオ信号はバッファ（１３）を経てミキサ（１５）に入力される。上記ミキサ（１５）は発振部（１４）において生成される所定チャネルに該当する高周波に上記ビデオ／オーディオ信号を載せて出力（高周波変調）するようになる。
【０００５】
上記のように高周波変調されたオーディオ／ビデオ信号は広帯域ローパスフィルター（ｌｏｗ  ｐａｓｓ  ｆｉｌｔｅｒ）（１６）を通して所望の周波数の高周波信号をフィルタリングした後ＴＶ出力端（ＴＶ  ＯＵＴ）を通してＴＶに出力される。この際、ＴＶ出力端（ＴＶ  ＯＵＴ）に高周波信号が入力される前にハイパスフィルター（ｈｉｇｈ  ｐａｓｓ  ｆｉｌｔｅｒ）（２４）を通過するようになる。
【０００６】
図８は上記従来の高周波モジュレータ内のミキサ（図７の１５）から出力される高周波変調された信号の周波数成分の一例を示したグラフである。図８はＮＴＳＣ方式のＴＶに使用される信号の一例を示したもので、ＴＶの各チャネルは６ＭＨｚの周波数帯域が割当てられている。所定のチャネルに出力させたい信号（３０）は映像を白黒の輝度差で表示するピクチャー信号（ルミナンス（ｌｕｍｉｎａｎｃｅ）信号；輝度信号ともいう）（Ｐ）と、色相を表現するための色差信号（クロミナンス（ｃｈｒｏｍｉｎａｎｃｅ）信号）（Ｃ）、及びオーディオ信号（Ｓ）を含んでいる。
【０００７】
しかし、高周波変調のために発振部（図７の１４）からミキサに入力される発振周波数（ｆｏｓｃ）がピクチャー信号（Ｐ）の周波数に該当するので、ピクチャー信号（Ｐ）の両側に対称の色差信号（Ｃ）及び音声信号（Ｓ）があらわれ、上記発振周波数（ｆｏｓｃ）は該当チャネルが始まる周波数から１．２５ＭＨｚほど離隔しているので、ピクチャー信号（Ｐ）より前に発生する色差信号と音声信号（図８においてＦ２で表示された信号）は他チャネルに割当てられた周波数帯域にあらわれるようになる。即ち、出力させたいチャネルの周波数帯域にあらわれるピクチャー信号、色差信号及び音声信号（Ｆ１）の他に、前のチャネルの周波数帯域に不要な色差信号及び音声信号（Ｆ２）があらわれるようになる。このように、両側に対称にあらわれる信号中低周波数帯域にあらわれる信号を下側波と云う。
【０００８】
また、モジュレータ回路（とりわけ、アンプ）の様々な否定的特性により他チャネルの周波数帯域に不要な（Ｓｐｕｒｉｏｕｓ）発振による高調波信号（Ｃ１ないしＣ３）があらわれるようになる。
【発明の開示】
【発明が解決しようとする課題】
【０００９】
このように、他チャネルの周波数帯域に発生する上記下側波及び高調波などの不要な信号のために他チャネルに放送される信号に干渉を起こす欠点が発生する。
【００１０】
こうした欠点を除去するために、従来には高周波変調信号が広帯域ローパスフィルター（図７の１６）を通過するようにした。しかし、図８に示したような下側波及び高調波などの不要な信号があらわれる高周波変調信号が広帯域ローパスフィルター（図７の１６）を通過すると、所望のチャネルの周波数帯域より高い周波数帯域を使用するチャネルにあらわれる高調波信号は除去できるが、低い周波数帯域を使用するチャネルに発生する下側波及び高調波信号は効果的に除去できず、他チャネルに未だ干渉現象が発生する問題がある。
【００１１】
したがって、当技術分野においては他チャネルに干渉現象を発生させる下側波及び高調波などの不要な信号を除去することにより、高周波変調時に所望のチャネルの周波数帯域の信号のみ出力できる新たな高周波モジュレータが要求される実状にある。
【００１２】
本発明は、上記問題を解決するために案出されたもので、その目的は、映像及び音声信号を出力させたいチャネルに割当てられた周波数帯域の他の周波数帯域に発生する下側波及び高調波などの不要な信号を除去することにより、他チャネルの信号への干渉の発生を防止できる狭帯域バンドパスフィルターを含んだ高周波モジュレータを提供することにある。
【課題を解決するための手段】
【００１３】
上記技術的課題を成し遂げるために本発明は、ビデオ信号及びオーディオ信号を所定チャネルの周波数帯域に該当する高周波信号に変調する高周波モジュレータにおいて、上記所定チャネルの周波数帯域に適した所定の高周波を生成する発振器；上記ビデオ信号及びオーディオ信号を上記発振器において生成された高周波に変調するミキサ；及び、上記ミキサから出力される高周波に変調された信号から上記所定チャネルの周波数帯域の信号のみ通過させる狭帯域バンドパスフィルターを含んだ高周波モジュレータを提供する。
【００１４】
本発明の一実施形態において、上記発振器は、所定のコントロール電圧に応じて所定周波数の発振を生成する発振器と、上記発振器において生成される周波数を所定比率で分周する分周器と、上記分周器において分周された信号と基準周波数の位相とを比較する位相検出器、及び上記位相検出器において比較された位相差に応じて調節された上記コントロール電圧を上記発振器に提供するチャージポンプを含むことができる。この場合、上記狭帯域バンドパスフィルターは、上記コントロール電圧を逆バイアス電圧に用いる複数個の可変電圧キャパシタダイオード及び複数個のインダクタを含み、上記コントロール電圧による発振器の発振周波数変動に応じて通過帯域が変動される。本発明の他実施形態において、上記狭帯域バンドパスフィルターは、通過帯域の固定された誘電体フィルターまたはＳＡＷフィルターであることができる。
【発明の効果】
【００１５】
上述したように、本発明によると、ビデオ信号とオーディオ信号を高周波変調した後に発生する下側波及び高調波などの不要な成分を遮断することにより、各チャネル間の干渉を防止でき、より優れた品質の映像及び音声を提供できる優れた効果を奏する。
【発明を実施するための最良の形態】
【００１６】
以下、添付の図を参照しながら、本発明による狭帯域バンドパスフィルターを含んだ高周波モジュレータの実施形態についてより詳しく説明する。本発明に参照する図において実質的に同一な構成と機能を有する構成要素には同じ参照符号を使っている。
【００１７】
図１は本発明による狭帯域バンドパスフィルターを含んだ高周波モジュレータのブロック構成図として、本発明による高周波モジュレータは、ビデオ入力端（ＶＩＤＥＯ  ＩＮ）に入力されるビデオ信号のレベルを調整するビデオクランプ（１１１）と、上記ビデオクランプ（１１１）から出力されたビデオ信号から帯域外ノイズ信号を除去するクリッパー（１１２）と、上記クリッパー（１１２）から出力されたビデオ信号をＡＭ変調するＡＭモジュレータと、オーディオ入力端（ＡＵＤＩＯ  ＩＮ）に入力されるオーディオ信号の高域を所定時定数で強調するフリーエンファシス（１２１）と、上記フリーエンファシス（１２１）から出力されたオーディオ信号を所定レベルに増幅するオーディオアンプ（１２２）と、上記オーディオアンプ（１２２）から出力されたオーディオ信号をＦＭ変調するＦＭモジュレータ（１２３）と、上記ＡＭモジュレータ（１１３）から出力されるビデオ信号及び上記ＦＭモジュレータ（１２３）から出力されるオーディオ信号を統合するバッファ（１３）と、ビデオ信号及びオーディオ信号を出力させたいチャネルに該当する所定の発振周波数を発生させる発振部（１４）と、上記バッファ（１３）から出力されるビデオ／オーディオ信号を上記発振部（１４）から発生された発振周波数に載せて出力するミキサ（１５）と、上記ミキサから出力されたビデオ／オーディオ信号を出力させたいチャネルの周波数帯域にフィルタリングする狭帯域バンドパスフィルター（３０）とを含んで成る。
【００１８】
上記のように構成される本発明による狭帯域バンドパスフィルターを含んだ高周波モジュレータは従来の広帯域ローパスフィルター（図７の１６）の代わりに所望のチャネルの周波数帯域信号のみを通過させる狭帯域バンドパスフィルター（３０）を用いることに特徴がある。
【００１９】
上記狭帯域バンドパスフィルター（３０）は、使用されるチャネルの周波数帯域に応じてその通過帯域を自動変更できる可変電圧キャパシター（Ｖａｒｉａｂｌｅ  Ｖｏｌｔａｇｅ  Ｃａｐａｃｉｔｏｒ：ＶＶＣ）ダイオードを使ったバンドパスフィルター、または固定された周波数帯域を通過させる固定型バンドパスフィルターを用いることができる。上記可変電圧キャパシタダイオードを使ったバンドパスフィルターを用いた実施形態において、上記発振部（１４）はＰＬＬ（Ｐｈａｓｅ  Ｌｏｃｋｅｄ  Ｌｏｏｐ）方式により発振周波数を生成しなければならない。それに比べて、上記固定型バンドパスフィルターを用いた実施形態において、上記発振部（１４）はＰＬＬ方式またはＮＯＮ−ＰＬＬ方式（例えば、ＳＡＷ共振子を用いた方式）すべてを用いることができる。
【実施例１】
【００２０】
先ず、上記可変電圧キャパシタダイオードを使ったバンドパスフィルターを用いた本発明の第１実施形態について説明する。
【００２１】
図２〜４は可変電圧キャパシタダイオードを使ったバンドパスフィルターを用いた本発明の第１実施形態を説明するための図である。
【００２２】
図２は本発明の第１実施形態に使用できるＰＬＬ方式発振部の一般的な構成を示したブロック図である。図２に示したように本発明の第１実施形態に用いるＰＬＬ方式発振部（１４）は、コントロール電圧（ＶＴ）に応じて所定周波数の発振を生成する発振器（１４１）と、上記発振器（１４１）において生成された周波数を所定比率で分周する分周器（１４４）と、上記分周器（１４４）において分周された信号と基準周波数の位相とを比較する位相検出器（１４３）と、上記位相検出器（１４３）において比較された位相差に応じて調節されたコントロール電圧を上記発振器（１４１）に提供するチャージポンプ（１４２）とを含んで成る。
【００２３】
上記のような一般のＰＬＬ方式発振部（１４）において、上記チャージポンプ（１４２）は上記発振器（１４１）にコントロール電圧（ＶＴ）を提供し、上記発振器（１４１）はコントロール電圧（ＶＴ）に応じて設定された周波数の発振を生成するようになる。したがって、発振器（１４１）または発振部（１４）において発振周波数が変更されるためには上記チャージポンプ（１４２）から出力されるコントロール電圧（ＶＴ）が変更されなければならない。
【００２４】
言い換えると、ビデオ信号及びオーディオ信号を出力させたいチャネルを変更する場合、発振周波数が変更されなければならず、このためにチャージポンプ（１４２）において生成されるコントロール電圧（ＶＴ）が変更されなければならない。本発明はこうしたＰＬＬ方式発振部において発振周波数に応じて変動されるコントロール電圧（ＶＴ）に応じて通過帯域が変動されるバンドパスフィルター（３０ａ）を使って所望の周波数帯域のみ通過させる。
【００２５】
図３（Ａ）は上記発振器のコントロール電圧（ＶＴ）を利用して通過帯域を可変させられる狭帯域バンドパスフィルター（３０ａ）の一例を示したものである。上記狭帯域バンドパスフィルター（３０ａ）は二個の可変キャパシター（４１ａ、４２ａ）と二個のインダクタ（４１ｂ、４２ｂ）で成ることができる。上記可変キャパシターは図３（Ａ）に拡大して示したように、ＰＬＬ方式発振部に用いられるコントロール電圧（ＶＴ）を逆バイアス電圧に用いる可変電圧キャパシタダイオードである。
【００２６】
前記可変電圧キャパシタダイオードはバリキャップ（ｖａｒｉｃａｐ）とも呼ばれ、逆バイアス電圧によるＰＮ接合容量の変化を利用する素子である。ＰＮ接合ダイオードを逆バイアスすると、その逆バイアス電圧により空乏層が変化しＰＮ接合容量は空乏層により異なってくる。空乏層領域が広いと（逆バイアス電圧が高いと）容量が減少し、逆に空乏層領域が狭いと（逆バイアス電圧が低いと）容量が大きくなる。
【００２７】
図３（Ａ）に示したように、ミキサ（ＭＩＸＥＲ）から入力される端子と接地との間に可変電圧キャパシタダイオード（４１ａ）とインダクタ（４１ｂ）とを並列連結させ、これと対称にインダクタ（４２ｂ）と可変電圧キャパシタダイオード（４２ａ）とを出力端（ＴＶ  ＯＵＴ）と接地との間に並列連結させて二個の共振が発生する狭帯域バンドパスフィルターを構成することができる。上記インダクタのインダクタンス値と上記可変電圧キャパシタダイオード（４２ａ）の容量値を適宜選択することにより、所望の周波数帯域はミキサ（ＭＩＸＥＲ）から出力端（ＴＶ  ＯＵＴ）側へと通過し残りの周波数帯域は遮断することができる。
【００２８】
上記のように構成される狭帯域バンドパスフィルターが形成する周波数特性を図３（Ｂ）に示してある。図３（Ｂ）によると、図３（Ａ）においてミキサからの信号入力端と接地との間に連結された可変電圧キャパシタダイオードとインダクタ（Ａ）により第１共振（Ａ‘）が発生し、出力（ＴＶ  ＯＵＴ）側端子と接地との間に連結された可変電圧キャパシタダイオードとインダクタ（Ｂ）により第２共振（Ｂ’）が発生する。上記二個の共振により図３（Ｂ）に示したような所定の周波数帯域を通過させるバンドパスフィルターが具現される。上記インダクタのインダクタンス値とＰＬＬ構造に用いられるコントロール電圧に応じた可変電圧キャパシタダイオードの容量値を調節して、上記バンドパスフィルターの通過帯域がビデオ信号とオーディオ信号を出力させたいチャネルの割当周波数帯域になるようにさせることが好ましい。例えば、ＮＴＳＣ方式において上記通過帯域は一つのチャネルに割当てられた周波数帯域である６ＭＨｚであることが好ましい。
【００２９】
図４は上記狭帯域バンドパスフィルターを適用した高周波モジュレータから出力される高周波変調信号の周波数成分の一例を示したグラフである。図８と比較すると、出力させたいチャネルに該当する周波数帯域のピクチャー信号（Ｐ）、色差信号（Ｃ）及び音声信号（Ｓ）がバンドパスフィルターを通過して伝送されて他チャネルの周波数帯域に発生する高調波信号が抑制されることがわかる。但し、隣接チャネルの周波数帯域に位置する下側波（Ｆ２’）は十分に除去されなかった。これはキャパシターとインダクタで具現されたフィルターはスカート（ｓｋｉｒｔ）特性が良くないからである。スカート特性を改善させるために高次のフィルターを具現することもできるが、多くの素子を使用しなければならなく、小型軽量化の要求を満足させがたい欠点が生じかねない。
【実施例２】
【００３０】
このようなスカート特性を改善させ下側波成分まで十分に除去するため次に本発明の第２実施形態を提案する。
【００３１】
図５は可変電圧キャパシタダイオードを使ったバンドパスフィルターを用いた本発明の第２実施形態を説明するための図である。
【００３２】
図５（Ａ）は本発明の第２実施形態に用いられる発振部（１４）とミキサ（１５）及びバンドパスフィルター（３０ｂ）の構成を示したブロック図である。
【００３３】
本発明の第２実施形態に用いられるバンドパスフィルター（３０ｂ）は誘電体フィルターまたはＳＡＷフィルターのような固定された通過帯域を有する固定型バンドパスフィルターであり、上記第１実施形態のようにＰＬＬ方式発振部に用いられるコントロール電圧（ＶＴ）が使用されない。したがって、上記発振部（１４）は本発明の第１実施形態のようにＰＬＬ方式を用いた発振部を使用してもよく、ＮＯＮ−ＰＬＬ方式（例えば、ＳＡＷ共振子を用いた方式）の発振部を用いてもよい。
【００３４】
上記固定型バンドパスフィルター（３０ｂ）は誘電体フィルターまたはＳＡＷフィルターであることができる。
【００３５】
上記誘電体フィルターは、波長に応じた共振を利用する構造的フィルターとして、高誘電体の誘電体セラミックを用いて信号の電気的波長を減らすことにより一層小型化されたフィルターを具現することができる。上記誘電体フィルターはコンブライン（ｃｏｍｂｌｉｎｅ）と云う単位波長共振器を用いることが多いが、別個のコンブラインを一つずつ連結する方式と一つの誘電体ブロックに具現するモノブロック方式とが用いられる。その他、セラミック内に多層パターンを利用して製造するセラミックチップフィルターなどがある。
【００３６】
また、上記ＳＡＷ（Ｓｕｒｆａｃｅ  Ａｃｏｕｓｔｉｃ  Ｗａｖｅ）フィルターは、圧電基板上に櫛歯型の金属板を両側に二個ずつ噛み合うよう配置させ、一方から電気的信号が入力されると圧電基板上にＳＡＷ（Ｓｕｒｆａｃｅ  Ａｃｏｕｓｔｉｃ  Ｗａｖｅ：表面弾性波）が発生するようになる。この表面弾性波による機械的振動は反対側において再び電気的信号に変換されるが、ここで圧電板自体の表面弾性波周波数と入力された電気的信号の周波数とが異なると信号が伝達されない。即ち、フィルター自体が有する機械物質的周波数と同じ周波数のみ通過させるバンドパスフィルターとなる。ＳＡＷフィルターは人為的なＬＣ共振原理を利用したフィルターに比べて通過させる帯域幅が大変狭いので、不要な周波数の信号をほぼ完璧に遮断することができる。また、同様な性能の誘電体フィルター類に比べて寸法もずっと小さい。したがって、狭帯域幅で所望の信号の周波数のみ正確に通過させるためにはＳＡＷフィルターを使用することが最も好ましい。
【００３７】
図５（Ｂ）は上記ＳＡＷフィルターの周波数通過特性を示したグラフである。図５（Ｂ）に示したように、スカート特性が大変優れている。例えば、ＮＴＳＣ方式のＴＶにおいては通過周波数帯域幅が６ＭＨｚに該当するＳＡＷフィルターを該当チャネルの周波数帯域に適宜に設定して使用することができる。
【００３８】
図６は上記ＳＡＷフィルターを適用した高周波モジュレータから出力される高周波変調信号の周波数成分の一例を示したグラフである。図８と比較すると、出力させたいチャネルに該当する周波数帯域のピクチャー信号（Ｐ）、色差信号（Ｃ）及び音声信号（Ｓ）がＳＡＷフィルターを通過して伝送され、他チャネルの周波数帯域に発生する高調波信号が抑制されることがわかる。とりわけ、上記第１実施形態とは異なり、隣接チャネルの周波数帯域に位置した下側波成分まで十分に除去された。これはＳＡＷフィルターが有する優れたスカート特性によるものである。
【００３９】
以上に説明したように、本発明は出力させたいチャネルの周波数帯域を通過させる狭帯域バンドパスフィルターを具備することにより、ビデオ信号とオーディオ信号を高周波変調した後に発生する下側波及び高調波の不要な成分を遮断することにより、チャネル間の干渉を防止することができる。
【００４０】
本発明は上述した実施形態及び添付の図により限定されるものではなく、添付の請求の範囲により限定されるもので、請求の範囲に記載の本発明の技術的思想を外れない範囲内において様々な形態の置換、変形及び変更が可能なことは当技術分野において通常の知識を有する者にとって明らかであろう。
【図面の簡単な説明】
【００４１】
【図１】本発明による狭帯域バンドパスフィルターを含んだ高周波モジュレータのブロック構成図である。
【図２】本発明の第１実施形態による発振器の構成を示したブロック図である。
【図３】（Ａ）は本発明の第１実施形態による狭帯域バンドパスフィルターの一例を示した回路図であり、（Ｂ）は本発明の第１実施形態による狭帯域バンドパスフィルターの周波数通過特性を示したグラフである。
【図４】本発明の第１実施形態による狭帯域バンドパスフィルターの周波数通過特性を示したグラフである。
【図５】（Ａ）は本発明の第２実施形態による発振部、ミキサ及びバンドバスフィルターの構成を示したブロック図であり、（Ｂ）は本発明の第２実施形態に用いられるＳＡＷフィルターの周波数通過特性を示したグラフである。
【図６】本発明の第２実施形態に用いられるＳＡＷフィルターの周波数通過特性を示したグラフである。
【図７】従来の高周波モジュレータの構成を概略的に示したブロック図である。
【図８】従来の高周波モジュレータから出力される高周波に変調された信号の周波数成分の一例を示したグラフである。
【符号の説明】
【００４２】
１４  発振部
１５  ミキサ
３０、３０ａ、３０ｂ  狭帯域バンドパスフィルター
１４１  発振器
１４２  チャージポンプ
１４３  位相検出器
１４４  分周器
Ｐ  ピクチャー信号
Ｃ  色差信号
Ｓ  音声信号
ＶＴ  コントロール電圧
【図１】
2005244917.tif 000003
【図２】
2005244917.tif 000004
【図３】
2005244917.tif 000005
【図４】
2005244917.tif 000006
【図５】
2005244917.tif 000007
【図６】
2005244917.tif 000008
【図７】
2005244917.tif 000009
【図８】
2005244917.tif 000010